(57)【要約】【課題】意匠性の高い空気調和機を低コストで提供する。【解決手段】空気調和機１０の本体ケーシング２０は、機器外面の一部を構成している。側板３０は、本体ケーシング２０に一部を重ね、本体ケーシング２０と繋がって機器外面の一部を構成している。クリップ４０は、本体ケーシング２０の側に配置されている第１支持部と側板の側に配置されている第２支持部と第１支持部と第２支持部とを繋ぐ連結部とを有する。クリップ４０は、第１支持部と第２支持部とにより本体ケーシング２０と側板３０との重なり部分Ｐａ１を両側から支持する。【選択図】図３
2019086215.tif 000002
【特許請求の範囲】
【請求項１】
機器外面の一部を構成している本体ケーシング（２０）と、
前記本体ケーシングに一部を重ね、前記本体ケーシングと繋がって機器外面の一部を構成している側板（３０）と、
前記本体ケーシングの側に配置されている第１支持部、前記側板の側に配置されている第２支持部、及び前記第１支持部と前記第２支持部とを繋ぐ連結部を有し、前記第１支持部と前記第２支持部とにより前記本体ケーシングと前記側板との重なり部分を両側から支持するクリップ（４０）と
を備える、空気調和機。
【請求項２】
前記側板は、前記第２支持部の先端部を保持する保持部（３２）を有する、
請求項１に記載の空気調和機。
【請求項３】
前記本体ケーシングと前記側板は、前記重なり部分に曲面を含む、
請求項１または請求項２に記載の空気調和機。
【請求項４】
前記クリップは、前記第１支持部と前記第２支持部の間隔が支持箇所の前記本体ケーシングの厚みと前記側板の厚みの和と同じかまたはそれより大きい、
請求項１から３のいずれか一項に記載の空気調和機。
【請求項５】
前記本体ケーシングは、壁に取り付けられ、
前記クリップは、前記壁の側から前記本体ケーシングの前面に向かって嵌め込まれている、
請求項１から４のいずれか一項に記載の空気調和機。
【請求項６】
前記本体ケーシングと前記側板は、前記壁の側が開口されており、前記開口に向って窄まっている形状を呈する、
請求項５に記載の空気調和機。
【請求項７】
前記本体ケーシングと前記クリップは、同一の樹脂材料で形成されている、
請求項１から６のいずれか一項に記載の空気調和機。
【発明の詳細な説明】
【技術分野】
【０００１】
本開示は、空気調和機に関する。
【背景技術】
【０００２】
従来から、空気調和機の中には、例えば、特許文献１（特開２０１１−１４９６３４号公報）に示されているように、全体的な外観に、壁に対して垂直な断面形状が壁側に向って徐々に小さくなるような高いデザイン性を有するものがある。
【発明の概要】
【発明が解決しようとする課題】
【０００３】
しかしながら、特許文献１に記載されているようにデザイン性を重視して空気調和機の外面形状に複雑な変化を持たせようとすると、複数の部材を組み合わせて機器外面を構成することになり、機器外面を構成している部材を形成するためのコストが嵩むことになる。
【０００４】
本開示の課題は、意匠性の高い空気調和機を低コストで提供することである。
【課題を解決するための手段】
【０００５】
本開示の第１観点に係る空気調和機は、機器外面の一部を構成している本体ケーシングと、本体ケーシングに一部を重ね、本体ケーシングと繋がって機器外面の一部を構成している側板と、本体ケーシングの側に配置されている第１支持部、側板の側に配置されている第２支持部、及び第１支持部と第２支持部とを繋ぐ連結部を有し、第１支持部と第２支持部とにより本体ケーシングと側板との重なり部分を両側から支持するクリップとを備える。
【０００６】
第１観点に係る空気調和機によれば、機器外面の一部が本体ケーシングと側板という別々の部材で構成されていることから、本体ケーシングと側板とを一体化して例えば射出成形などによって一度に成形する場合に比べて形成が容易になる。また、別々の部材で構成された本体ケーシングと側板の重なり部分がクリップで支持されていることから、例えばネジなどで重なり部分を留める場合に比べてクリップの外観を本体ケーシングの外観に馴染ませやすいものとなる。
【０００７】
本開示の第２観点に係る空気調和機は、第１観点に係る空気調和機において、側板は、第２支持部を保持する保持部を有する、ものである。
【０００８】
第２観点に係る空気調和機によれば、第２支持部の先端部が側板の保持部に保持されることから、クリップの第１支持部の連結部に近い側で第１支持部が本体ケーシングをしっかり支持できるので、クリップが破損したり重なり部分で本体ケーシングと側板の距離が開いて機器外面に段差が生じて意匠性が低下したりするのを抑制することができる。
【０００９】
本開示の第３観点に係る空気調和機は、第１観点または第２観点に係る空気調和機において、本体ケーシングと側板は、重なり部分に曲面を含む、ものである。
【００１０】
第３観点に係る空気調和機によれば、重なり部分に曲面が含まれることから、同じ形状に形成するのが難しい曲面同士を繋げるときに、クリップで支持して重なり部分の隙間を減らすことができる。
【００１１】
本開示の第４観点に係る空気調和機は、第１観点から第３観点のいずれかに係る空気調和機において、クリップは、第１支持部と第２支持部の間隔が支持箇所の本体ケーシングの厚みと側板の厚みの和と同じかまたはそれより大きい、ものである。
【００１２】
第４観点に係る空気調和機によれば、第１支持部と第２支持部の間隔が支持箇所の本体ケーシングの厚みと側板の厚みの和と同じかまたはそれより大きいことから、クリップが重なり部分を挟んでいる状態で、本体ケーシングと側板が第１支持部と第２支持部の間隔を開けようとして連結部に掛ける応力を小さい状態に保つことができる。
【００１３】
本開示の第５観点に係る空気調和機は、第１観点から第４観点のいずれかに係る空気調和機において、本体ケーシングは、壁に取り付けられ、クリップは、壁の側から本体ケーシングの前面に向かって嵌め込まれている、ものである。
【００１４】
第５観点に係る空気調和機によれば、壁の側から本体ケーシングの前面に向かってクリップが嵌め込まれていることから、本体ケーシングが壁に取り付けられるとクリップが壁の側に抜けるのを壁によって規制することができる。
【００１５】
本開示の第６観点に係る空気調和機は、第５観点に係る空気調和機において、本体ケーシングと側板は、壁の側が開口されており、開口に向って窄まっている、ものである。
【００１６】
第６観点に係る空気調和機によれば、本体ケーシングと側板が開口に向って窄まっていることから、開口に向かって真っ直ぐな場合に比べてユーザが感じる圧迫感を減らすように機器外面の形状に変化を与えることができる。
【００１７】
本開示の第７観点に係る空気調和機は、第１観点から第６観点のいずれかに係る空気調和機において、本体ケーシングとクリップは、同一の樹脂材料で形成されている、ものである。
【００１８】
第７観点に係る空気調和機によれば、本体ケーシングとクリップが同一の樹脂材料で形成されていることから、本体ケーシングとクリップが異なる樹脂材料で形成されている場合に比べて例えば紫外線による樹脂の劣化などが同じように進行するので、経年劣化によって本体ケーシングとクリップの外観が異なるものとなるのを抑制することができる。
【発明の効果】
【００１９】
本開示の第１観点に係る空気調和機では、機器外面を構成する部材についてのコストを下げることができるとともに、機器外面の意匠性を向上させることができる。
【００２０】
本開示の第２観点に係る空気調和機では、機器外面の形成にクリップを用いる構成において耐久性を向上させることができる。
【００２１】
本開示の第３観点に係る空気調和機では、重なり部分に曲面を用いることが容易になって顕著に意匠性を向上させることができる。
【００２２】
本開示の第４観点に係る空気調和機では、第１支持部と第２支持部の間隔を開けようとする応力によってクリップが破損するのを抑制することができる。
【００２３】
本開示の第５観点に係る空気調和機では、クリップの外れを防止することができる。
【００２４】
本開示の第６観点に係る空気調和機では、機器外面のデザインによって快適性を向上させることができる。
【００２５】
本開示の第７観点に係る空気調和機では、デザインの劣化を抑制することができる。
【図面の簡単な説明】
【００２６】
【図１】本開示の実施形態に係る空気調和機の外観を示す斜視図。
【図２】図１の空気調和機の平面図。
【図３】本体ケーシングと側板を示す部分拡大斜視図。
【図４】本体ケーシングと側板とクリップを示す分解斜視図。
【図５】本体ケーシングとクリップを示す部分平面図。
【図６】クリップを示す斜視図。
【図７】クリップの詳細構成を説明するための斜視図。
【図８】本体ケーシングを示す正面図。
【図９】図８のＩ−Ｉ線で切断した本体ケーシングと側板とクリップの断面図。
【図１０】図９の領域Ａｒ１を拡大した部分拡大断面図。
【図１１】図３のＩＩ−ＩＩ線で切断した本体ケーシングと側板の断面図。
【発明を実施するための形態】
【００２７】
（１）全体構成
以下、本開示の一実施形態に係る空気調和機について図を用いて説明する。図１には、壁ＷＡに取り付けられている空気調和機１０を斜め下方から見上げたときの空気調和機１０の外観が示されている。図２には、上から見た空気調和機１０が示されている。空気調和機１０の形状は、左右に長い直方体に基づいて概ね設定されている。空気調和機１０は、本体ケーシング２０の天面部２０ａに設けられた吸込口１５から室内空気を吸い込む。空気調和機１０は、機器の内部での熱交換により、吸い込んだ室内空気を温め又は冷やして設定温度に調整した調和空気を吹出口１１から吹き出す。この吹出口１１は、本体ケーシング２０の底面部２０ｂから前面部２０ｃ（図４参照）にかけて形成された開口である。吹出口１１及び吸込口１５は、空気調和機１０の長手方向に沿って長く延びている。この空気調和機１０の側面の一部は、本体ケーシング２０の側面部２０ｄによって形成されている。
【００２８】
空気調和機１０が停止している状態では、図１に示されているように、吹出口１１が水平フラップ１３及び前面パネル１２によって塞がれている。空気調和機１０が暖房運転または冷房運転をするときに、水平フラップ１３と前面パネル１２が移動して、空気調和機１０は、吹出口１１が開いた状態になる。
【００２９】
空気調和機１０の機器外面の一部は、本体ケーシング２０によって構成されている。また、空気調和機１０の機器外面の他の一部は、側板３０によって構成されている。図３には、空気調和機１０の正面から向かって右側の側面周辺が拡大して示されている。図３において、斜線で示された領域が本体ケーシング２０と側板３０の重なり部分Ｐａ１である。側板３０は、このように本体ケーシング２０に一部を重ね、本体ケーシング２０と繋がって機器外面の一部を構成している。本体ケーシング２０と側板３０の重なり部分Ｐａ１にクリップ４０が取り付けられている。つまり、このクリップ４０は、重なり部分Ｐａ１の両側から本体ケーシング２０と側板３０を支持している。
【００３０】
図４には、本体ケーシング２０に左右両側の２枚の側板３０を取り付けようとしている状態が示されている。各側板３０には、上下に配置される２つのクリップ４０が割り当てられている。各クリップ４０は、本体ケーシング２０の外面を支持するとともに側板３０の内面を支持する。図５に示されているように、クリップ４０は、本体ケーシング２０の外面に形成されている凹部２１に嵌り、側板３０の被支持部３１と保持部３２との間に挿入される。
【００３１】
（２）詳細構成
（２−１）クリップ４０
図６及び図７に、クリップ４０を空気調和機１０の機器外面の側から見た状態が示されている。クリップ４０は、第１支持部４１、第２支持部４２、及び第１支持部４１と第２支持部４２とを繋ぐ連結部４３を有している。第１支持部４１は本体ケーシング２０の側に配置され、第２支持部４２は側板３０の側に配置される。第１支持部４１は、上方から見て略長方形の形状を呈する板状の樹脂部材で構成されている。第１支持部４１の長方形の一辺が連結部４３に一体的に接合されている。図７には、第１支持部４１及び第２支持部４２の隠れた構造が破線で示されている。第１支持部４１には、第２支持部４２の方に向って突出する爪４４が形成されている。
【００３２】
図６にも少し見えているが、第２支持部４２には、開口部４６が形成されており、上方から見ると、第２支持部４２はＵ字形の形状を呈する。この第２支持部４２も板状の樹脂部材で構成されている。第２支持部４２は、Ｕ字形の開いている部分が連結部４３に向くように連結部４３に一体的に接合されている。第２支持部４２には、第１支持部４１とは反対側に向って突出する爪４５が形成されている。
【００３３】
クリップ４０は、年月が経過しても本体ケーシング２０との外観の相違が目立たないように、本体ケーシング２０と同一の樹脂材料で形成されることが好ましい。また、同様の理由から、クリップ４０は、側板３０と同一の樹脂材料で形成されることが好ましい。
【００３４】
（２−２）本体ケーシング２０
本体ケーシング２０は、図２に示されているように、上方から見たときの輪郭は、ほぼ長方形の形状を呈する。しかし、詳細に見ると、空気調和機１０の外形は、中央部の幅Ｗ１が後部の幅Ｗ２よりも大きくなっている。つまり、壁ＷＡに取り付けられる後部に向って本体ケーシング２０が中央部から後部にかけて徐々に窄まっている。また、図２に示されている上面視において、中央部から前面に向かって円弧ＣＲ１が形成されていることから、本体ケーシング２０の中央部の幅Ｗ１よりも前面の幅Ｗ３が狭くなっていることも分かる。
【００３５】
図３及び図４に示されている側板３０が本体ケーシング２０に繋がっている形状では、後部側が開口２９になっている。従って、本体ケーシング２０と側板３０によって構成された機器外面は、開口２９に向って窄まる形状を呈すると言い換えることもできる。本体ケーシング２０と側板３０が、開口２９に向って窄まる形状を呈するということは、壁ＷＡに設置された空気調和機１０において、本体ケーシング２０と側板３０で構成される形状を壁ＷＡに平行な平面で切断したときの輪郭が、切断する箇所が壁に近づくに従って小さくなっていくということである。本体ケーシング２０と側板３０によって構成された機器外面がこのような形状をしているので、もし、射出成形で、本体ケーシング２０と側板３０によって構成された機器外面を一体的に形成しようとすると一体成形された樹脂成形体を金型から外すのが難しくなり、成形コストが高くなる。このような形状を本体ケーシング２０と側板３０に分割することで、射出成形が容易になり、低コストで図２に示されているような開口２９に向って窄まる形状を持つ空気調和機１０が提供できるものとなる。
【００３６】
また、本体ケーシング２０の前部から後部に向って延びる稜線周辺部Ｐａ２は曲面である。従って、壁ＷＡに平行な平面で、本体ケーシング２０と側板３０によって構成される機器外面を切断した場合の稜線周辺部Ｐａ２の断面形状は、円弧状になっている。
【００３７】
本体ケーシング２０の天面部２０ａにおいて、稜線周辺部Ｐａ２近傍の後端に２箇所凹部２１が形成されている（図４参照）。このような構造は、本体ケーシング２０の底面部２０ｂにおいても同様である。本体ケーシング２０に設けられた４箇所の凹部２１の中には、掛止孔２２が形成されている。これら掛止孔２２には、クリップ４０の爪４４が引っ掛かるように構成されている。クリップ４０は、図５に矢印で示されている壁側に向う向きに引き抜かないと外れないが、爪４４が掛止孔２２に引っ掛かることによって引き抜かれ難くなっている。さらに、空気調和機１０が壁ＷＡに取り付けられた状態ではクリップ４０が壁ＷＡに当たって図５の矢印の方向にクリップ４０が移動できなくなるので、クリップ４０は、空気調和機１０が壁ＷＡに取り付けられると外れなくなる。クリップ４０は、本体ケーシング２０に嵌め込まれた状態で、クリップ４０の第１支持部４１の外面４１ａと、本体ケーシング２０の天面部２０ａの外面２０ａａ又は底面部２０ｂの外面２０ｂａとが面一になるように構成されている。
【００３８】
図８には、本体ケーシング２０を正面から見た状態が示されているが、図８に示されているＩ−Ｉ線で切断した本体ケーシング２０の断面が図９に示されている。また、図９において円で囲まれた領域Ａｒ１の構成を拡大したものが図１０に示されている。図１０から分かるように、側板３０の被支持部３１は、凹部２１よりも機器の内側の位置に配置されている。本体ケーシング２０の凹部２１の外面２１ａは、クリップ４０の第１支持部４１の内面４１ｂによって支持され、側板３０の被支持部３１の内面３１ｂは、クリップ４０の第２支持部４２の外面４２ａによって支持される。
【００３９】
（２−３）側板３０
図４に示されているように、側板３０は、天面部３０ａと、底面部３０ｂと、側面薄肉部３０ｃと、側面厚肉部３０ｄとを有する。側板３０の天面部３０ａは、本体ケーシング２０の天面部２０ａと重なり、側板３０の底面部３０ｂは、本体ケーシング２０の底面部２０ｂと重なる。側板３０の側面薄肉部３０ｃは、側面厚肉部３０ｄの前に形成されており、本体ケーシング２０の側面部２０ｄと重なる。側面厚肉部３０ｄは、本体ケーシング２０の側面部２０ｄとは重ならず、本体ケーシング２０の側面部２０ｄとともに空気調和機１０の側面を構成している。側板３０は、年月が経過しても本体ケーシング２０との外観の相違が目立たないように、本体ケーシング２０と同一の樹脂材料で形成されることが好ましい。
【００４０】
側板３０の天面部３０ａ及び底面部３０ｂは、本体ケーシング２０の天面部２０ａ及び底面部２０ｂと隙間なく重なるように又は非常に小さな隙間で重なるように設計されている。しかし、製造時の誤差などによって、側板３０の天面部３０ａ及び底面部３０ｂと、本体ケーシング２０の天面部２０ａ及び底面部２０ｂとの間に、公差の範囲内の隙間が生じることは許容されている。そして、クリップ４０で本体ケーシング２０と側板３０が支持されることによって、空気調和機１０の外観に影響を与える隙間が減らされて、空気調和機１０の良好な意匠性が確保される。
【００４１】
クリップ４０の第２支持部４２で支持される被支持部３１は、側板３０の天面部３０ａ及び底面部３０ｂに形成されている。また、被支持部３１の前方には保持部３２が形成されている。保持部３２は、被支持部３１に対して機器の内側に配置されており、前面視に置いて、保持部３２と被支持部３１の間には、第２支持部４２の板厚ｄ４（図６参照）よりも大きな隙間が形成されている。従って、クリップ４０が本体ケーシング２０と側板３０の被支持部３１を支持している状態を前方から見ると、クリップ４０の第２支持部４２が被支持部３１と保持部３２の間に在る。そして、この保持部３２は、第２支持部４２を側板３０にしっかり保持する。それにより、クリップ４０の第１支持部４１の連結部４３に近い側で第１支持部４１が本体ケーシング２０をしっかり支持できる。
【００４２】
クリップ４０が本体ケーシング２０と側板３０の被支持部３１を支持している状態において、クリップ４０の第１支持部４１と第２支持部４２の間隔ｄ３（図６参照）は、支持箇所である本体ケーシング２０の凹部２１の部分の厚みｄ１と側板３０の被支持部３１の厚みｄ２の和（ｄ１＋ｄ２）と同じかまたはそれより大きくなるように設定されている。つまり、ｄ１＋ｄ２≦ｄ３の関係が成り立つ。
【００４３】
（３）本体ケーシング２０と側板３０の連結
図３のＩＩ−ＩＩ線で切断した本体ケーシング２０と側板３０の断面形状が図１１に示されている。本体ケーシング２０と側板３０とを連結する場合には、例えば両面に粘着剤及び／または接着剤が両面に塗布されたテープ６０で、側板３０が本体ケーシング２０に貼着される。テープ６０は、側板３０の側面薄肉部３０ｃに貼り付けられる。側板３０が本体ケーシング２０に貼着された後、クリップ４０が本体ケーシング２０と側板３０に取り付けられる。クリップ４０が本体ケーシング２０の後ろから押し込まれると、第２支持部４２が被支持部３１の内面３１ｂに沿って進み、保持部３２に到達すると爪４５によって被支持部３１と保持部３２の間隔が少し押し広げられる。第１支持部４１の爪４４が凹部２１に乗り上げると、第１支持部４１と第２支持部４２の間隔が少し押し広げられる。さらにクリップ４０が押し込まれると、爪４４が掛止孔２２に嵌って、第１支持部４１と第２支持部４２の間隔が元に戻って弾性変形が解消されると同時に、爪４５が保持部３２を通過して被支持部３１と保持部３２の間隔が元に戻って弾性変形が解消される。そして、爪４４が掛止孔２２に引っ掛かり、爪４５が保持部３２に引っ掛かることにより、クリップ４０が本体ケーシング２０と側板３０に掛止される。
【００４４】
（４）変形例
（４−１）変形例１Ａ
上記実施形態では、空気調和機１０が設置される部屋の温度に関する空気調和を行うものであったが、空気調和機１０が行う空気調和は、空気の温度の調整に限られるものではなく、例えば、空気の湿度の調整であってもよく、また空気中の塵埃の除去であってもよい。
【００４５】
（４−２）変形例１Ｂ
上記実施形態では、本体ケーシング２０と側板３０とを繋ぐ際にテープ６０を用いる場合について説明したが、テープ６０を用いなくてもよく、例えば、粘着剤及び／または接着剤を本体ケーシング２０及び／または側板３０に直接塗布してもよく、嵌合構造によって繋ぎ合わせてもよい。
【００４６】
（４−３）変形例１Ｃ
上記実施形態では、保持部３２が側板３０に設けられる場合について説明したが、保持部は本体ケーシング２０に設けられてもよい。本体ケーシング２０に設けられる保持部は、例えば、本体ケーシング２０の天面部２０ａまたは底面部２０ｂの内面側に凹部を形成し、第２支持部４２の先端部がその凹部に突き刺さるように構成すればよい。本体ケーシング２０の天面部２０ａまたは底面部２０ｂの内面側に凹部であれば、金型を外すのに邪魔にならないように本体ケーシング２０に形成することができる。
【００４７】
（５）特徴
（５−１）
以上説明したように、空気調和機１０の機器外面の一部は、本体ケーシング２０と側板３０という別々の部材で構成されている。もし、本体ケーシング２０と側板３０とを一体化したような成形体を例えば射出成形で成形しようとすると、上述のような開口２９に向かって窄まった形状の成形体は金型から抜き出し難くなって金型の構造が複雑になったり成形時間が長くなったりして、成形コストが高くなる。それに対して、本体ケーシング２０と側板３０と別々の部材とすることで、それぞれの成形が容易になり、機器外面を構成する部材に掛かるコストを下げることができる。
【００４８】
また、別々の部材で構成された本体ケーシング２０と側板３０の重なり部分Ｐａ１がクリップ４０で支持されていることから、例えばネジなどで重なり部分を留める場合に比べてクリップ４０の外観を本体ケーシング２０の外観に馴染ませやすいものとなっている。つまり、クリップ４０と本体ケーシング２０の境界線以外は、同じ外観にすることができる。その結果、例えばネジなどを使う場合に比べて、クリップ４０を使う方が空気調和機１０の機器外面の意匠性を向上させることができる。
【００４９】
（５−２）
クリップ４０の第２支持部４２が側板３０の保持部３２によってしっかりと保持されて、クリップ４０の第１支持部４１の連結部４３に近い側で第１支持部４１が本体ケーシング２０をしっかり支持できる。その結果、クリップ４０が破損したり重なり部分Ｐａ１で本体ケーシング２０と側板３０の距離が開いて機器外面に段差が生じて意匠性が低下したりするのを抑制することができ、機器外面の形成にクリップ４０を用いる構成において空気調和機１０の耐久性を向上させることができる。
【００５０】
（５−３）
図３及び図４を用いて説明したように、重なり部分Ｐａ１に曲面が含まれている。同じ形状に形成するのが難しい曲面同士を繋げるときに、クリップ４０で支持して重なり部分の隙間を減らすことができることにより、重なり部分に曲面を用いることが容易になって顕著に意匠性を向上させることができる。
【００５１】
（５−４）
クリップ４０の第１支持部４１と第２支持部４２の間隔ｄ３が支持箇所の本体ケーシング２０の厚みｄ１と側板３０の厚みｄ２の和と同じかまたはそれより大きく設定されている。その結果、クリップ４０が重なり部分Ｐａ１を挟んでいる状態で第１支持部４１と第２支持部４２の間隔を開けようとして連結部４３に掛かる応力が小さい状態を保つことができ、第１支持部４１と第２支持部４２の間隔を開けようとする応力によってクリップ４０が破損するのを抑制することができる。
【００５２】
（５−５）
空気調和機１０においては、壁ＷＡの側から本体ケーシング２０の前面に向かってクリップ４０が嵌め込まれていることから、本体ケーシング２０が壁ＷＡに取り付けられるとクリップ４０が壁ＷＡの側に抜けるのが壁ＷＡによって規制される。その結果、クリップ４０が本体ケーシング２０及び側板３０から外れるのを防止することができる。
【００５３】
（５−６）
本体ケーシング２０と側板３０によって構成される機器外面の一部が開口２９に向って窄まっていることから、開口に向かって真っ直ぐな場合に比べてユーザが感じる圧迫感を減らすように空気調和機１０の機器外面の形状に変化を与えることができる。その結果、空気調和機１０の機器外面のデザインによって快適性を向上させることができる。
【００５４】
（５−７）
本体ケーシング２０と側板３０とクリップ４０が同一の樹脂材料で形成されていると、本体ケーシング２０と側板３０とクリップ４０が異なる樹脂材料で形成されている場合に比べて例えば紫外線による樹脂の劣化などが同じように進行する。経年劣化によって本体ケーシング２０と側板３０とクリップ４０の外観が異なるものとなるのを抑制することができ、空気調和機１０のデザインの劣化を抑制することができる。
【符号の説明】
【００５５】
１０  空気調和機
２０  本体ケーシング
３０  側板
３１  被支持部
３２  保持部
４０  クリップ
【先行技術文献】
【特許文献】
【００５６】
【特許文献１】特開２０１１−１４９６３４号公報
【図１】
2019086215.tif 000003
【図２】
2019086215.tif 000004
【図３】
2019086215.tif 000005
【図４】
2019086215.tif 000006
【図５】
2019086215.tif 000007
【図６】
2019086215.tif 000008
【図７】
2019086215.tif 000009
【図８】
2019086215.tif 000010
【図９】
2019086215.tif 000011
【図１０】
2019086215.tif 000012
【図１１】
2019086215.tif 000013